(57)【要約】【課題】芳香カプセルを有する加熱器を提供する。【解決手段】本考案の芳香カプセルを有する加熱器は、収容空間を有する加熱底台と、該収容空間中に安置される芳香カプセルと、該芳香カプセルを覆うことに用いるカバー部材と、を含み、そのうち、該芳香カプセルは、該加熱底台と接触し、開口を有する耐高温の容器と、該耐高温の容器中に安置される精油と、該耐高温の容器中に安置され、該精油を吸着することに用いる精油と、該開口を密封し、該精油及び該吸着材料を該耐高温の容器中に密封する密封蓋と、を含む。使用者は、該芳香カプセルを使用する時、先ず該密封蓋を開き、該精油を吸着した該吸着材料を安置した耐高温の容器を該収容空間中に安置する。【選択図】図１
0003179659.tif 000002
【実用新案登録請求の範囲】
【請求項１】
収容空間を有する加熱底台と、
該加熱底台と接触し、開口を有する容器と、該容器中に安置する精油と、該容器中に安置され、該精油を吸着することに用いる吸着材料と、を含み、該収容空間中に安置される芳香カプセルと、
該加熱底台上に結合し、該芳香カプセルを覆うことに用いるカバー部材と、
を含む芳香カプセルを有する加熱器。
【請求項２】
前記容器は、更に、密封蓋を結合し、該開口を密封し、該精油及び該吸着材料を該容器中に密封する請求項１に記載の加熱器。
【請求項３】
前記芳香カプセルは、更に、該開口から延伸する延伸部材を含む請求項２に記載の加熱器。
【請求項４】
前記延伸部材は、該開口に平行である請求項３に記載の加熱器。
【請求項５】
前記延伸部材は、該開口に垂直である請求項３に記載の加熱器。
【請求項６】
前記吸着材料は、スポンジ、海綿、セラミック、又は繊維である請求項１に記載の加熱器。
【請求項７】
前記カバー部材は、通気孔を有する請求項１に記載の加熱器。
【請求項８】
前記加熱底台は、更に、該加熱底台周縁に環設され、該収容空間と接続する凹面を含む請求項１に記載の加熱器。
【請求項９】
加熱器中に応用される芳香カプセルであって、該加熱器は、収容空間を有する加熱底台を含み、該芳香カプセルは、
該収容空間中に安置され、該加熱底台と接触でき、開口を有する容器と、
該開口から延伸し、該開口に平行である延伸部材と、
該容器中に安置される精油と、
該容器中に安置され、該精油を吸着することに用いる吸着材料と、
該開口を密封し、該精油及び該吸着材料を該容器中に密封する密封蓋と、
を含む芳香カプセル。
【請求項１０】
加熱器中に応用される芳香カプセルであって、該加熱器は、収容空間を有する加熱底台を含み、該芳香カプセルは、
該収容空間中に安置され、該加熱底台と接触でき、開口を有する容器と、
該開口から延伸し、該開口に垂直である延伸部材と、
該容器中に安置される精油と、
該容器中に安置され、該精油を吸着することに用いる吸着材料と、
該開口を密封し、該精油及び該吸着材料を該容器中に密封する密封蓋と、
を含む芳香カプセル。
【考案の詳細な説明】
【技術分野】
【０００１】
本考案は、精油を加熱する加熱器に関し、特に、芳香カプセルを有する加熱器及び該芳香カプセルに関する。
【背景技術】
【０００２】
現代社会において、空気中の異臭を除去する為、又は生活の楽しみを増やす為、多くの人は、方向製品（例えば、精油）を使用し始めている。使用時、使用者は、精油を容器中から取り出し、加熱器の収容空間中に安置し、該加熱器に対し、通電し、該加熱器に電力を発生させ、該精油を加熱する。このようにして、該加熱した精油が香りを発生することができる。
【０００３】
しかしながら、上記の方式は、少なくとも以下の欠点を有する：使用者は、特定の容器を準備し、該精油を盛り付ける必要がある；使用者は、該精油を該容器中から注意深く取り出し、該加熱器の収容空間中に安置し、該精油を汚さないようにする必要がある；該精油を該収容空間に安置した後、該収容空間が衝撃を受けることによって該収容空間外に漏れることがある；該精油の揮発完了後、使用者は、該収容空間を洗浄する必要がある；該収容空間が洗浄されていなければ、異なる香りの精油が元の精油の香りと混在する；該収容空間が壊れ易い材料（例えば、セラミック製品）で形成される場合、洗浄の過程において、該セラミック製品を破壊しないよう保護することが困難である。
【先行技術文献】
【特許文献】
【０００４】
【特許文献１】特開２０００−１８５０８９号公報
【考案の概要】
【考案が解決しようとする課題】
【０００５】
上記のように、従来の加熱器は、全体的使用及び芳香ブロックの交換の工程及び後続の加熱器の洗浄の過程において、本来生活の楽しみを増やし、気持ちをリラックスさせる芳香製品でなければならないが、上記の欠陥により、使用者に予期せぬ面倒をもたらす可能性がある。従って、本分野の使用者は、より使用に便利な方向製品及び加熱器を必要としている。
【課題を解決するための手段】
【０００６】
上記問題を克服する為、本考案は、芳香カプセルを有する加熱器を提供し、それは、収容空間を有する加熱底台と、該収容空間中に安置する芳香カプセルと、該芳香カプセルを覆うことに用いるカバー部材と、を含み、そのうち、該芳香カプセルは、該加熱底台と接触し、開口を有する耐高温の容器と、該耐高温の容器中に安置する精油と、該耐高温の容器中に安置し、該精油を吸着することに用いる吸着材料と、該開口を密封し、該精油及び該吸着材料を該耐高温の容器中に密封する密封蓋と、を含む。
【０００７】
本考案の実施例において、該耐高温の容器及び該収容空間の形状は、互いに適合する。
【０００８】
本考案のもう１つの実施例において、該加熱底台は、該加熱底台周縁に環設され、該収容空間と連接する凹面を含む。
【０００９】
本考案の更にもう１つの実施例において、該芳香カプセルは、該開口から延伸する延伸部材を含み、該延伸部材は、該開口に平行又は垂直であることができる。
【００１０】
本考案のまた更にもう１つの実施例において、該カバー部材は、通気孔を有する。
【００１１】
本考案は、更に、芳香カプセルを提供し、加熱器中に応用し、該加熱器は、加熱底台を有し、該加熱底台は、収容空間を有し、該芳香カプセルは、該収容空間中に安置でき、該加熱底台と接触し、開口を有する耐高温の容器と、該開口から延伸し、該開口と平行又は垂直である延伸部材と、該耐高温の容器中に安置される精油と、該耐高温の容器中に安置され、該精油を吸着することに用いる吸着材料と、該開口を密封し、該精油及び該吸着材料を該耐高温の容器中に密封する密封蓋と、を含む。
【考案の効果】
【００１２】
従来の加熱器に比較し、本考案の加熱器は、それが有する精油がカプセル式であることによって、使用者は、別途その他の容器を準備し、精油を載置する必要がなく、精油を安置する時に該精油を汚すことがなく、新たな精油は、旧精油と混在することがなく、高温の容器を破壊することを心配する必要もない。
【図面の簡単な説明】
【００１３】
【図１】本考案中の芳香カプセルの加熱器の実施例の分解図である。
【図２】本考案中の芳香カプセルの分解図である。
【図３】本考案中の芳香カプセルの断面図である。
【考案を実施するための形態】
【００１４】
図１、図２、図３を参照し、それは、本考案中の芳香カプセル１２を有する加熱器１の実施例の分解図、及び芳香カプセル１２の分解図、断面図である。該加熱器１は、セラミックボウル１６と、該セラミックボウル１６上に安置し、内側に収容空間１００を凹設する加熱底台１０と、該収容空間１００中に安置し、加熱される該芳香カプセル１２と、該芳香カプセルを覆うことに用いるカバー部材１４と、を含む。
【００１５】
本考案の実施例において、該芳香カプセル１２は、該加熱底台１０と接触し、開口１２００を有する耐高温の容器１２０と、該耐高温の容器１２０中に安置する精油１２２（又はエッセンス又は香水）と、無数の孔を有し、該耐高温の容器１２０中に安置し、該精油１２２を吸着することに用いる吸着材料１２３と、該開口１２００を密封し、該精油及び該吸着材料１２３を該耐高温の容器１２０中に密封し、精油の品質を保持する密封蓋１２４と、を含む。
【００１６】
使用時、使用者は、ただ該芳香カプセル１２を該収容空間１００中に安置し、該密封蓋１２４を開き、該加熱底台１０を通電させるだけで、該精油１２２を加熱でき、該精油１２２の香りを該吸着材料１２３の孔中から空気中に発散させることができる。
【００１７】
本考案の実施例において、該加熱底台１０は、ただ該精油１２２を約摂氏４０〜７０度、好ましくは、約５０〜５５度に加熱するだけでよく、この温度範囲内で市場の一般の芳香製品は、香り品質を破壊することなく加熱されることができ、香りを迅速に環境中に散逸することを達成し、相応して、該耐高温の容器１２０は、摂氏４０〜７０度において、依然として溶解又は変形せず、加熱底台１０を通電後に発生する熱エネルギーを該精油１２２に伝導できる材料で形成される。該容器１２０は、例えば、セラミック、金属、及び硬質プラスチック等であり、本実施例において、該耐高温の容器１２０は、金属で形成され、該金属は、アルミ箔（Fail）を選択し、軽く、薄い容器１２０を形成することが好ましく、良好な熱伝導性能を有し、底台を加熱時の熱源を該精油１２２に伝導し、香りを発散させることができ、且つ該アルミ箔の容器１２０は、破裂し難く、従来の加熱器の精油を収納するセラミックボウル、ガラス容器等の壊れやすい製品と異なり、且つ該密封蓋１２４は、精油１２２又はその他の芳香製品を該アルミ箔の容器１２０中に密封し、該芳香製品の品質を保持することができる。
【００１８】
本考案の実施例において、該吸着材料１２３は、スポンジ、海綿、孔を有するセラミック、石膏、又は繊維等であることができ、該吸着材料１２３の孔は、該精油１２２又はその他の芳香液体を吸着し、孔は、加熱中に循環し、徐々に精油分子を放出でき、該吸着材料１２３は、精油１２２を吸着し、本製品を不注意で倒した時、該精油１２２又は芳香液体は、瞬間的には流出せず、火災の危険又は環境の汚染を回避することができる。
【００１９】
図３を参照し、それは、本考案中の芳香カプセル１２の断面図である。精油１２２は、該耐高圧の容器１２０内に安置され、その他の容器内に安置されないので、使用者は、該芳香カプセル１２を使用する時、該密封蓋１２４を開くだけでよく、従って、該芳香ブロック１２２を汚すことがない。また、該芳香カプセル１２中の精油１２２の揮発完了後、使用者は、異なる香りの芳香を使用したい場合、該耐高温の容器１２０を洗浄する必要がなく、ただ該耐高温の容器１２０を破棄し、異なる香りの精油の芳香カプセルを該収容空間１００に安置するだけでよい。また、使用者は、該耐高温の容器１２０を洗浄する必要がないので、該耐高温の容器１２０を破壊することを心配する必要がない。また、使用者は、該精油１２２を載置する容器を別途準備する必要がない。最後に、該耐高温の容器１２０中に吸着材料１２３を安置するので、該密封蓋１２４を開いた後、該加熱器１又は該耐高温の容器１２０が衝撃を受けても、該精油１２２は、該耐高温の容器１２０外に漏出することがない。
【００２０】
本考案の実施例において、該加熱底台１０が発生する熱エネルギーを該耐高温の容器１２０に十分に伝導することができ、該耐高温の容器１２０及び該収容空間１００の形状は、互いに適合し、即ち、該耐高温の容器１２０は、該収容空間１００と緊密に接触する。
【００２１】
本考案のもう１つの実施例において、使用者が該収容空間１００中から該芳香カプセル１２を便利に取り出すことができるように、該加熱底台１０は、該加熱底台１０周縁に環設する凹面１０２を含み、該収容空間１００と接続し、使用者にその手指を該凹面１０２に入れ、該芳香カプセル１２を該収容空間１００から便利に取り出すことできるようにする。また、本発明の更にもう１つの実施例において、該芳香カプセル１２の該耐高温の容器１２０は、該開口１２００から延伸する延伸部材１２０２を含み、該延伸部材１２０２は、該開口１２００に平行又は垂直であることができる。このように、使用者は、該延伸部材１２０２を手で持ち、該芳香カプセル１２を該収容容器１００から便利に取り出すことができる。
【００２２】
本考案の更にもう１つの実施例において、該カバー部材１４は、通気孔１４０を有し、上方向へ本考案の内部に散逸する精油の香りを導出し、香りを環境中に平均的に散布させることに用いる。
【００２３】
従来の加熱器に比較し、本考案の加熱器は、それが有する精油がカプセル式であることによって、使用者は、別途その他の容器を準備し、精油を載置する必要がなく、精油を安置する時に該精油を汚すことがなく、新たな精油は、旧精油と混在することがなく、高温の容器を破壊することを心配する必要もない。
【００２４】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２５】
１  加熱器
１０  加熱底台
１２  芳香カプセル
１４  カバー部材
１６  セラミックボウル
１００  収容空間
１０２  凹面
１２０  容器
１２２  精油
１２３  吸着材料
１２４  密封蓋
１４０  通気膜
１２００  開口
１２０２  延伸部材
【図１】
0003179659.tif 000003
【図２】
0003179659.tif 000004
【図３】
0003179659.tif 000005